(57)【要約】【課題】床下の点検や、床下に新しい配管の敷設作業を良好なものとすることができる排水システムを提供することを目的としている。【解決手段】建物の床下に排水ヘッダーが設置され、この排水ヘッダーと建物内の各排水設備とがそれぞれ排水枝管路を介して接続されるとともに、排水ヘッダーの流出口と建物外排水管路とが主排水管路を介して接続されている排水システムにおいて、各排水設備と排水ヘッダーとを接続する排水枝管路が、中間部に継ぎ目のない1本のフレキシブル管によって形成され、このフレキシブル管の管端が施工後も着脱自在な継手を介して排水ヘッダーの流入口および排水設備の流出口と接続されているとともに、排水ヘッダーの流入口がヘッダーの掃除口を兼用可能に形成されていることを特徴としている。【選択図】      図１
2008038563.tif 000002
【特許請求の範囲】
【請求項１】
建物の床下に排水ヘッダーが設置され、この排水ヘッダーと建物内の各排水設備とがそれぞれ排水枝管路を介して接続されるとともに、排水ヘッダーの流出口と建物外排水管路とが主排水管路を介して接続されている排水システムにおいて、
各排水設備と排水ヘッダーとを接続する排水枝管路が、中間部に継ぎ目のない1本のフレキシブル管によって形成され、このフレキシブル管の管端が施工後も着脱自在な継手を介して排水ヘッダーの流入口および排水設備の流出口と接続されているとともに、排水ヘッダーの流入口がヘッダーの掃除口を兼用可能に形成されていることを特徴とする排水システム。
【請求項２】
フレキシブル管が平滑な内層を有する二重コルゲート管である請求項１に記載の排水システム。
【請求項３】
建物の床下に排水ヘッダーが設置され、この排水ヘッダーと建物内の各排水設備とがそれぞれ排水枝管路を介して接続されるとともに、排水ヘッダーの流出口と建物外排水管路とが主排水管路を介して接続されている排水システムにおいて、
各排水設備と排水ヘッダーとを接続する排水枝管路が、中間部に継ぎ目のない1本のフレキシブル管によって形成されているとともに、前記フレキシブル管が合成樹脂製のフレキシブル管本体と、このフレキシブル管本体に沿って設けられ、作業者の手で変形可能なフレキシブル管本体の姿勢保持材とを備え、前記フレキシブル管本体の排水勾配が前記姿勢保持材を変形させることによって確保されていることを特徴とする排水システム。
【請求項４】
フレキシブル管の管端が施工後も着脱自在な継手を介して排水ヘッダーの流入口および排水設備の流出口と接続されているとともに、排水ヘッダーの流入口がヘッダーの掃除口を兼用可能に形成されていることを特徴とする請求項３に記載の排水システム。
【請求項５】
フレキシブル管本体が平滑な内層を有する二重コルゲート管である請求項３または請求項４に記載の排水システム。
【請求項６】
建物床下に設けられた給水および／または給湯用システムに沿って設けられ、そのサポート金具が共用されていることを特徴とする請求項１〜請求項５のいずれかに記載の排水システム。
【請求項７】
排水ヘッダーが給水および／または給湯用システムのヘッダーと一体化されている請求項１〜請求項６のいずれかに記載の排水システム。
【発明の詳細な説明】
【技術分野】
【０００１】
本発明は、排水システムに関する。
【背景技術】
【０００２】
従来、アパートなどの小規模集合住宅や個人用住宅では、建物内に設置された台所、トイレ、洗面、洗濯機、浴室などの各種排水設備からの排水は、それぞれの排水設備に接続された各排水枝管路を通じて建物の外側に埋設配管された各排水桝に流れ込み、この排水桝間を接続している宅地内の建物外排水管路を通じて公共桝に流れ込み、この公共桝を経て公道下に埋設された下水本管へ排水される排水システムとなっている。
【０００３】
ところで、上記従来の排水システムでは、宅地内の建物の基礎の外側に建物外排水管路が埋設配管されている。この建物外排水管路は、曲がり部や合流部に各種タイプの排水桝が設置されている。この排水桝としては、たとえばポリプロピレン樹脂製のものや硬質塩化ビニル樹脂製のものが用いられている。これらの排水桝の立ち上がり口径は、一般的には、ポリプロピレン樹脂製のものでは約３００ｍｍ 、硬質塩化ビニル樹脂製のものでは約１５０〜２００ｍｍである。
そして、建物内の各排水設備ともっとも近い排水桝とが、排水枝管路を介して接続されている。
【０００４】
しかしながら、上記の従来の排水システムでは、建物の外郭と宅地の境界との間に、建物外排水管路を埋設配管するとともに、この建物外排水管路の途中に、各種排水設備に接続したそれぞれの排水枝管路の端部が接続される排水桝を設置するための空間が必要であるので、狭小な宅地の場合、排水桝の設置が困難になってくるという問題があった。
【０００５】
そこで、図１３に示すような排水システム１００が既に提案されている（特許文献１参照）。
すなわち、図１３に示すように、この排水システム１００は、建物２００の床下に、複数の流入口１１１と、一つの流出口１１２を備えた排水ヘッダー１１０が配設されている。この排水ヘッダー１１０の各流入口１１１には、建物２００内に設置された各種排水設備１２０に接続された排水枝管路１５０の流出側端部がそれぞれ接続されている。一方、排水ヘッダー１１０の流出口１１２には、排水主管路１３０の流入側端部が接続され、この排水主管路１３０の下流側端部が、建物２００の外周基礎の外側地中に埋設された排水桝１４０の流入側受け口と接続されている。そして、排水桝１４０が排水本管１６０に接続されて、排水本管１６０の下流側端部が公共桝（図示せず）の流入側端部と接続された構成となっている。
また、排水枝管路１５０は、曲がり部の一部にのみ樹脂製のフレキシブル管１５１が用いられ、大部分は、直管、エルボ、ソケット等の可撓性のない配管材１５２を用いて形成されている。
【０００６】
したがって、この排水システム１００によれば、建物２００の外周基礎の外側に埋設される排水桝１４０は一つですむこととなり、狭小な敷地においても排水桝等を配設するスペースを確保でき、また、外周基礎に形成する排水主管路１３０の貫通孔も一つですむため基礎強度を確保することができるという利点がある。
【０００７】
しかしながら、上記排水システム１００においては、床下に排水ヘッダー１１０が配設されているとともに、この排水ヘッダー１１０に各種排水設備１２０に接続された排水枝管路１５０が接続されるようになっているため、床下空間が狭いものになっている。
したがって、床下の点検や、床下に新しい配管を敷設使用とした場合、排水枝管路１５０が非常に邪魔になり、作業性が悪いという問題がある。
【０００８】
【特許文献１】特開２００５−１４７２２５号公報
【発明の開示】
【発明が解決しようとする課題】
【０００９】
本発明は、上記事情に鑑みて、建物の外周基礎の外側に埋設される排水桝は一つですむこととなり、狭小な敷地においても排水桝等を配設するスペースを確保でき、また、外周基礎に形成する排水主管路の貫通孔も一つですむため基礎強度を確保することができるという利点を損なうことなく、床下の点検や、床下に新しい配管の敷設作業を良好なものとすることができる排水システムを提供することを目的としている。
【課題を解決するための手段】
【００１０】
上記目的を達成するために、本発明の請求項１に記載の排水システム（以下、「請求項1のシステム」と記す）は、建物の床下に排水ヘッダーが設置され、この排水ヘッダーと建物内の各排水設備とがそれぞれ排水枝管路を介して接続されるとともに、排水ヘッダーの流出口と建物外排水管路とが主排水管路を介して接続されている排水システムにおいて、各排水設備と排水ヘッダーとを接続する排水枝管路が、中間部に継ぎ目のない1本のフレキシブル管によって形成され、このフレキシブル管の管端が施工後も着脱自在な継手を介して排水ヘッダーの流入口および排水設備の流出口と接続されているとともに、排水ヘッダーの流入口がヘッダーの掃除口を兼用可能に形成されていることを特徴としている。
【００１１】
本発明の請求項２に記載の排水システム（以下、「請求項２のシステム」と記す）は、請求項１のシステムにおいて、フレキシブル管が平滑な内層を有する二重コルゲート管であることを特徴としている。
【００１２】
本発明の請求項３に記載の排水システム（以下、「請求項３のシステム」と記す）は、建物の床下に排水ヘッダーが設置され、この排水ヘッダーと建物内の各排水設備とがそれぞれ排水枝管路を介して接続されるとともに、排水ヘッダーの流出口と建物外排水管路とが主排水管路を介して接続されている排水システムにおいて、各排水設備と排水ヘッダーとを接続する排水枝管路が、中間部に継ぎ目のない1本のフレキシブル管によって形成されているとともに、前記フレキシブル管が合成樹脂製のフレキシブル管本体と、このフレキシブル管本体に沿って設けられ、作業者の手で変形可能なフレキシブル管本体の姿勢保持材とを備え、前記フレキシブル管本体の排水勾配が前記姿勢保持材を変形させることによって確保されていることを特徴としている。
【００１３】
本発明の請求項４に記載の排水システム（以下、「請求項４のシステム」と記す）は、請求項３のシステムにおいて、フレキシブル管の管端が施工後も着脱自在な継手を介して排水ヘッダーの流入口および排水設備の流出口と接続されているとともに、排水ヘッダーの流入口がヘッダーの掃除口を兼用可能に形成されていることを特徴としている。
【００１４】
本発明の請求項５に記載の排水システム（以下、「請求項５のシステム」と記す）は、請求項３または請求項４のシステムにおいて、フレキシブル管本体が平滑な内層を有する二重コルゲート管であることを特徴としている。
【００１５】
本発明の請求項６に記載の排水システム（以下、「請求項６のシステム」と記す）は、請求項１〜請求項５のいずれかのシステムにおいて、建物床下に設けられた給水および／または給湯用システムに沿って設けられ、そのサポート金具が共用されていることを特徴としている。
【００１６】
本発明の請求項７に記載の排水システム（以下、「請求項７のシステム」と記す）は、請求項１〜請求項６のいずれかのシステムにおいて、排水ヘッダーが給水および／または給湯用システムのヘッダーと一体化されていることを特徴としている。
【００１７】
本発明において、フレキシブル管またはフレキシブル管本体を構成する樹脂としては、特に限定されないが、ポリエチレン、架橋ポリエチレン、ポリブテン、ポリプロピレン、ポリ塩化ビニル、エチレン−酢酸ビニル共重合体、熱可塑性エラストマーなどが挙げられる。
【００１８】
排水設備としては、特に限定されないが、たとえば、洗面台、洗濯機、トイレ、システムキッチン、食器洗い機等が挙げられる。
【発明の効果】
【００１９】
以上のように、請求項１のシステムは、各排水設備と排水ヘッダーとを接続する排水枝管路が、中間部に継ぎ目のない1本のフレキシブル管によって形成され、このフレキシブル管の管端が施工後も着脱自在な継手を介して排水ヘッダーの流入口および排水設備の流出口と接続されているので、継手のフレキシブル管管端の固定を解除してフレキシブル管の一端を取り外せば、フレキシブル管を巻き込むなどして移動させることができる。したがって、排水枝管路が邪魔になり、奥へ進むことができない場合でも、フレキシブル管を邪魔にならないところへ移動させ奥へ進むことが可能となり、床下点検作業や新しい配管の敷設作業等の床下作業を容易に行うことができる。
そして、作業が終われば、フレキシブル管を元の配管位置に戻し、フレキシブル管管端を再び継手によって排水ヘッダーあるいは排水設備に固定すれば、元の排水システムとなる。
【００２０】
また、排水ヘッダーの流入口がヘッダーの掃除口を兼用可能に形成されているので、排水ヘッダーをコンパクト化することができる。
したがって、床下空間を広くすることができ、床下点検作業や新しい配管の敷設作業等の床下作業を容易に行うことができる。
【００２１】
請求項２のシステムは、フレキシブル管が平滑な内層を有する二重コルゲート管であるので、排水中に固形物等が混ざっていても排水枝管路内に固形物等が溜まることなくスムーズに流れる。
【００２２】
請求項３のシステムは、各排水設備と排水ヘッダーとを接続する排水枝管路が、中間部に継ぎ目のない1本のフレキシブル管によって形成されているとともに、前記フレキシブル管が合成樹脂製のフレキシブル管本体と、このフレキシブル管本体に沿って設けられ、作業者の手で変形可能なフレキシブル管本体の姿勢保持材とを備え、前記フレキシブル管本体の排水勾配が前記姿勢保持材を変形させることによって確保されているので、排水枝管路の排水勾配を確保するための支柱等が不要となり、床下の支柱等が占めていた部分に床下点検作業や新しい配管の敷設作業等の床下空間を確保でき、床下点検作業や新しい配管の敷設作業を容易に行うことができる。また、高温の排水を流してもフレキシブル管が熱変形して垂れ下がり、排水が途中で残るという事故も防止できる。
【００２３】
請求項４のシステムは、フレキシブル管の管端が施工後も着脱自在な継手を介して排水ヘッダーの流入口および排水設備の流出口と接続されているので、継手のフレキシブル管管端の固定を解除してフレキシブル管の一端を取り外せば、フレキシブル管を巻き込むなどして移動させることができる。したがって、排水枝管路が邪魔になり、奥へ進むことができない場合でも、フレキシブル管を邪魔にならないところへ移動させ奥へ進むことが可能となり、床下点検作業や新しい配管の敷設作業等の床下作業を容易に行うことができる。また、排水ヘッダーの流入口がヘッダーの掃除口を兼用可能に形成されているので、排水ヘッダーをコンパクト化することができ、結果として、床下空間を広くすることができ、床下点検作業や新しい配管の敷設作業等の床下作業を容易に行うことができる。また、ヘッダーのコストを低減することができる。
【００２４】
請求項５のシステムは、フレキシブル管本体が平滑な内層を有する二重コルゲート管であるので、排水中に固形物等が混ざっていても排水枝管路内に固形物等が溜まることなくスムーズに流れる。
【００２５】
請求項６のシステムは、建物床下に設けられた給水および／または給湯用システムに沿って設けられ、そのサポート金具が共用されているので、別々のサポート金具を使用した場合に比べ、床下点検作業や新しい配管の敷設作業等の床下空間を広く確保でき、床下点検作業や新しい配管の敷設作業を容易に行うことができる。
【００２６】
請求項７のシステムは、排水ヘッダーが給水および／または給湯用システムのヘッダーと一体化されているので、床下点検作業や新しい配管の敷設作業等の床下空間を広く確保でき、床下点検作業や新しい配管の敷設作業を容易に行うことができる。
【発明を実施するための最良の形態】
【００２７】
以下に、本発明を、その実施の形態をあらわす図面を参照しつつ詳しく説明する。
図１は、本発明にかかる排水システムの第１の実施の形態をあらわしている。
【００２８】
図１に示すように、この排水システムＡは、排水ヘッダー１と、複数の排水設備２と、排水枝管路となる複数のフレキシブルな二重コルゲート管３とを備えている。
二重コルゲート管３は、図２に示すように、平滑な管状をした内層３１と、管軸方向に山部と谷部とが交互に形成された外層３２とを備え、内層３１および外層３２がそれぞれ高密度ポリエチレンで形成されている。
【００２９】
排水ヘッダー１は、給水・給湯システム４の給水・給湯用ヘッダー４１に沿うように設けられていて、図３および図４に示すヘッダー本体１１と、図５および図６に示す継手５とから構成されている。
【００３０】
すなわち、ヘッダー本体１１は、複数の流入口１２と、１つの流出口１３とを備え、流出口１３が最下流となるように、サポート金具（ベース金具）１４を介して床下土間Ｇに支持されている。
継手５は、継手本体５１と、雌ねじ付き袋ナット５２と、雄ねじ付き袋ナット５３と、カラー５４と、パッキン５５と、締め付けリング５６と、リテーナー５７とを備え、施工後も二重コルゲート管３が着脱自在なっている。
【００３１】
継手本体５１は、嵌合筒部５１ａと、鍔状係止部５１ｂとを備え、図５に示すように、雌ねじ付き袋ナット５２を外嵌した状態で、嵌合筒部５１ａがヘッダー本体１１の流入口１２に嵌合され、接着あるいは溶着によってヘッダー本体１１に一体化されている。
雄ねじ付き袋ナット５３は、一端外周面に雄ねじ５３ａが設けられ、他端部内面に、締め付けリング５６の縮径用テーパ部５３ｂを備えている。
【００３２】
カラー５４は、二重コルゲート管３の外径とほぼ同じか少し大きい内径、かつ、雄ねじ付き袋ナット内に納まる外径をしている。
パッキン５５は、断面略Ｔ字形のリング状をしていて、外径がカラー５４とほぼ同径になっているとともに、Ｔ字の縦辺部分が二重コルゲート管３の外層３２の谷部３６に外嵌されるようになっている。
【００３３】
締め付けリング５６は、一部に切欠５６ａを有する断面略Ｃ字形をしていて、一端外周面に雄ねじ付き袋ナット５３の縮径用テーパ部５３ｂに対応するテーパ部５６ｂを備えている。
リテーナー５７は、二重コルゲート管３の内径とほぼ同じ外径をした直管状のリテーナー本体５７ａと、このリテーナー本体５７ａの一端に設けられ、二重コルゲート管３の外径とほぼ同じ外径をした鍔部５７ｂとを備えている。
【００３４】
そして、継手５は、図５に示すように、鍔状係止部５１ｂが二重コルゲート管３の管端面にほぼ当接するまで、リテーナー５７のリテーナー本体５７ａを二重コルゲート管３に内嵌させるとともに、雄ねじ付き袋ナット５３、締め付けリング５６、カラー５４、パッキン５５の順で、二重コルゲート管３に外嵌させたのち、雄ねじ付き袋ナット５３の雄ねじ５３ａを雌ねじ付き袋ナット５２の雌ねじ５２ａに締め込むことによって二重コルゲート管３の管端を水密状態で排水ヘッダー１に固定できるようになっている。
【００３５】
なお、二重コルゲート管３が接続されない流入口１２は、図示していないが、たとえば、雄ねじ付きの蓋を雌ねじ付き袋ナット５２の雌ねじ５２ａに締め込むことによって水密状態に封鎖するようになっている。
【００３６】
各排水設備２は、図示していないが、その流出口に排水ヘッダー１の継手５と同様の継手が設けられている。
そして、この排水システムＡは、各排水設備２と、それに対応する排水ヘッダー１の流入口１２とがそれぞれ１本の二重コルゲート管３を介して接続されている。
また、各二重コルゲート管３は、その両端が継手５の雄ねじ付き袋ナット５３と雌ねじ付き袋ナット５２とを解締することによって、排水ヘッダー１の流入口１２および排水設備２流出口に容易に着脱できるようになっているとともに、給水・給湯ヘッダー４１から湯や水を各給水・給湯設備に送るフレキシブル管４２に沿い、かつ、このフレキシブル管３ａのサポート金具（図示せず）を共用して所定の排水勾配を確保している。
【００３７】
排水ヘッダー１の流出口１３には、排水主管１６が接続され、排水主管１６が建物外排水管路１７に接続されている。
【００３８】
この排水システムＡは、以上のように、床Ｆ上に設置された各排水設備２と、それに対応する排水ヘッダー１の流入口１２とがそれぞれ１本の二重コルゲート管３を介して接続されているとともに、二重コルゲート管３は、その両端が継手５の雄ねじ付き袋ナット５３と雌ねじ付き袋ナット５２とを解締することによって、排水ヘッダー１の流入口１２および排水設備２流出口に容易に着脱できるようになっているので、雄ねじ付き袋ナット５３と雌ねじ付き袋ナット５２との締め込みを緩めて二重コルゲート管３の一端を取り外せば、二重コルゲート管３を巻き込むなどして移動させることができる。したがって、二重コルゲート管３が邪魔になり、奥へ進むことができない場合でも、二重コルゲート管３を邪魔にならないところへ移動させ奥へ進むことが可能となり、床下点検作業や新しい配管の敷設作業等の床下作業を容易に行うことができる。
【００３９】
また、排水システムＡ全体が、給水・給湯システム４に沿うように設けられているので、床下の配管がコンパクトに配置された状態になり、床下での作業スペース等を広く確保できる。
さらに、給水・給湯ヘッダー４１から湯や水を各給水・給湯設備に送るフレキシブル管４２に沿い、かつ、このフレキシブル管３ａのサポート金具（図示せず）を共用して二重コルゲート管３を所定の排水勾配に保持するようにしているので、給排水システムをよりコンパクトにかつ安価に提供できるようになる。
【００４０】
図７は、本発明にかかる排水システムの第２の実施の形態をあらわしている。
図７に示すように、この排水システムＢは、排水ヘッダー１が、給水システム４ａおよび給湯システム４ｂのヘッダー４４、４５と離れた場所に設置されている。
【００４１】
そして、図８に示すように、姿勢保持材としてアルミニウム棒３５ａが周方向に等ピッチで軸に平行にインサートされたポリプロピレンエラストマーなどのオレフィン系樹脂エラストマーからなる内層３１と、コルゲート状になった高密度ポリエチレンなどのオレフィン系樹脂からなる外層３２とを備えるフレキシブル管３ａによって各排水設備２に流出口と、ヘッダーの流入口とが接続されるとともに、各フレキシブル管３ａは、サポート金具を用いることなく、アルミニウム棒３５ａを塑性変形させることによって排水勾配が確保されている以外は、上記の排水システムＡと同様の構成になっている。
すなわち、フレキシブル管３ａは、内層３１にアルミニウム棒３５ａがインサートされているので、作業者がアルミニウム棒３５ａを外層３２越しに手で容易に塑性変形させることができるとともに、このアルミニウム棒３５ａの塑性変形によってフレキシブル管３全体がアルミニウム棒３５ａの変形状態に変形し、その状態で姿勢保持できるようになっている。
【００４２】
この排水システムＢは、以上のように、各排水設備２に流出口と、ヘッダーの流入口と
を、姿勢保持材としてのアルミニウム棒３５ａを備えたフレキシブル管３ａによって接続するようにしたので、サポート金具がなくてもフレキシブル管３ａが熱い排水で撓んだりすることがない。
また、サポート金具を用いなくても構わないので、床下配管がコンパクトにまとまり、床下での作業スペース等を広く確保できる。
【００４３】
上記排水システムＢに用いるフレキキシブル管としては、特に限定されないが、上記フレキシブル管３ａ以外に、たとえば、図９（ａ）〜（ｆ）に示すフレキシブル管３ｂ〜３ｆなどが挙げられる。
すなわち、フレキシブル管３ｂは、図９（ａ）に示すように、ポリプロピレンエラストマーなどのオレフィン系樹脂エラストマーからなる内層３１の周囲に姿勢保持材としてのアルミニウム線（直径３ｍｍ）３５ｂをらせん状に巻回し、その上にコルゲート状をした高密度ポリエチレンなどのオレフィン系樹脂からなる外層３２を設けている。
【００４４】
フレキシブル管３ｃは、図９（ｂ）に示すように、ポリプロピレンエラストマーなどのオレフィン系樹脂エラストマーからなる内層３１の周囲に姿勢保持材としての帯状をしたアルミニウム板（厚さ０．３ｍｍ、幅２０ｍｍ）３５ｃをらせん状に巻回し、その上にコルゲート状をした高密度ポリエチレンなどのオレフィン系樹脂からなる外層３２を設けている。
フレキシブル管３ｄは、図９（ｃ）に示すように、ポリプロピレンエラストマーなどのオレフィン系樹脂エラストマーからなる内層３１の周囲に姿勢保持材としてのアルミニウム板（厚さ０．１５ｍｍ）３５ｄを管状になるように巻回し、その上にコルゲート状をした高密度ポリエチレンなどのオレフィン系樹脂からなる外層３２を設けている。
【００４５】
フレキシブル管３ｅは、図９（ｄ）に示すように、ポリプロピレンエラストマーなどのオレフィン系樹脂エラストマーからなる内層３１の周囲に姿勢保持材としての帯状をしたアルミニウム板（厚さ０．３ｍｍ、幅２０ｍｍ）３５ｅを２重に巻回し、その上にコルゲート状をした高密度ポリエチレンなどのオレフィン系樹脂からなる外層３２を設けている。
フレキシブル管３ｆは、図９（ｅ）に示すように、ポリプロピレンエラストマーなどのオレフィン系樹脂エラストマーからなる内層３１の周囲に姿勢保持材としての帯状をした複数のアルミニウム板（厚さ０．３ｍｍ、幅２０ｍｍ）３５ｆを内層３１の軸に平行に貼り付けた後、その上にコルゲート状をした高密度ポリエチレンなどのオレフィン系樹脂からなる外層３２を設けている。
【００４６】
フレキシブル管３ｇは、図９（ｆ）に示すように、ポリプロピレンエラストマーなどのオレフィン系樹脂エラストマーからなる内層３１の周囲に姿勢保持材としての穴開きアルミニウム板（厚さ０．５ｍｍ、穴径５ｍｍ、穴数６３００個／ｍ2）３５ｇを管状になるように巻回し、その上にコルゲート状をした高密度ポリエチレンなどのオレフィン系樹脂からなる外層３２を設けている。
【００４７】
本発明にかかる排水システムは、上記の実施の形態に限定されない。たとえば、上記の実施の形態では、フレキシブル管として二重コルゲート管が用いられていたが、合成ゴムからなるゴム管を用いるようにしても構わない。
【００４８】
また、継手としては、上記継手５以外に、たとえば、図１０に示す継手６、図１１に示す継手７、図１２に示す継手８などを用いるようにしても構わない。
【００４９】
詳しく説明すると、継手６は、図１０に示すように、継手本体６ａと、締め付けリング６ｂとを備え、施工後も二重コルゲート管３が着脱自在なっている。
継手本体６ａは、一端に二重コルゲート管３の装着部６１を有し、他端に給水・給湯設備の流出口あるいは排水ヘッダーの流入口に接続される接続部６２を備えている。
【００５０】
装着部６１は、内嵌部６３と、外嵌部６４と、フランジ部６５とを備えている。
内嵌部６３は、外径が二重コルゲート管３の内径とほぼ同じ筒状をしている。
【００５１】
外嵌部６４は、図１０（ｂ）に示すように、フランジ部６５から内嵌部６３に平行に延出して、内嵌部６３との間に二重コルゲート管３の管端部が嵌装される隙間を形成するとともに、その先端から複数の係止片６７が延出している。
本体部６６は、内壁にＯリング装着溝６４ａがリング状に設けられていて、図１０（ａ）に示すように、Ｏリング装着溝６４ａにＯリング６８が装着されるようになっている。
【００５２】
そして、この継手６は、二重コルゲート管３の管端部にまず締め付けリング６ｂを遊嵌させた状態で、図１０（ａ）に示すように、二重コルゲート管３の管端部を管端面がフランジ部６５にほぼ当接するまで内嵌部６３と外嵌部６４との間に挿入する。
つぎに、二重コルゲート管３の管端方向にスライドさせて、締め付けリング６ｂをすべての係止爪部６７に外嵌させることによって各係止爪部６７の係止爪６７ａを二重コルゲート管３の谷部３６に食い込ませることによって二重コルゲート管３をしっかりと接続できる。
一方、締め付けリング６ｂを逆方向にスライドさせて、係止爪部６７への外嵌を解除すれば、容易に二重コルゲート管３を取り外すことができる。
【００５３】
継手７は、図１１（ｂ）に示す継手本体７ａと、図１１（ｃ）に示すファスナー７ｂとを備えている。
継手本体７ａは、図１１（ａ），（ｂ）に示すように、内嵌部７１と、外嵌部７２と、内嵌部７１と外嵌部７２とを一端で接続する連結部７３とを備えている。
【００５４】
内嵌部７１は、二重コルゲート管３の内径とほぼ同じ外径をした筒状をしている。
外嵌部７２は、二重コルゲート管３の外径とほぼ同じ内径をした筒状をしているとともに、外壁の一部に内外を貫通するように、ファスナー７ｂの嵌合用スリット７３が穿設されている。
【００５５】
また、外嵌部７２の内面には、嵌合用スリット７３に対応する位置に、ファスナーガイド溝７４が穿設されている。
ファスナー７ｂは、円弧状をしたファスナー本体７５とツマミ部７６とを備えている。
【００５６】
そして、この継手７は、図１１（ａ）に示すように、Oリング７７を二重コルゲート管３の管端部の谷部３６に外嵌させた状態で、二重コルゲート管３の管端部を管端面がほぼ連結部７３に当接するまで、内嵌部７１と外嵌部７２との間に挿入した後、ファスナー本体７５の開放端を先頭にしてファスナー本体７５を嵌合用スリット７３から外嵌部６４内に挿入し、ファスナー本体７５の開放端部をファスナーガイド溝７４と二重コルゲート管３の谷部３６とによって形成された空間に挿入することによって二重コルゲート管３がファスナー本体７５を介して外嵌部７２に係止されてしっかりと接続される。
一方、ツマミ部７６を持って、ファスナー本体７５を外嵌部７２から引き抜けば、二重コルゲート管３の外嵌部７２への係止が解除されて、容易に二重コルゲート管３を取り外すことができる。
【００５７】
継手８は、図１２に示すように、２つの対称な分割体８０（図１２では１つしかあらわれていない。
分割体８０は、一端に二重フレキシブル管接続部８１を有し、他端に配管材接続部８２を備えている。
【００５８】
二重フレキシブル管接続部８１は、内嵌部８３と外嵌部８４とを備えている。
内嵌部８３は、二重コルゲート管３の内径とほぼ同じ外径をした半円筒形状をしている。
【００５９】
外嵌部８４は、二重コルゲート管３の外径とほぼ同じ内径をした半円筒形状をしていて、内壁の一部にＯリング８５の外周側が嵌まり込む溝８４ａが穿設されている。
二重フレキシブル管接続部８１および配管材接続部８２の連結部外周面には、締め付けベルトや針金等の締め付け具（図示せず）が嵌まり込む溝８６が設けられている。
【００６０】
配管材接続部８２は、半円筒形状をしていて、内壁の一部にＯリング８７の外周側が嵌まり込む溝８２ａが穿設されている。
そして、この継手８は、図３に示すように、Ｏリング８５を、二重フレキシブル管３の管端部で谷部３６に内周側が嵌り込むようにセットするとともに、配管材Ｐの管端部にもＯリング８７を外嵌させて状態で、一方の分割体８０を、溝８４ａにＯリング８５の外周側が、溝８４ａにＯリング８７がはまり込むようにセットしたのち、図示していないが、他方の分割体８０をその溝８４ａにＯリング８５の外周側が、溝８２ａにＯリング８７がはまり込むとともに、一方の分割体８０と端面同士が付き合うようにする。
【００６１】
つぎに、両分割体８０の溝８６に締め付け具を巻回して締め付けることによって、継手８を介して二重コルゲート管３と配管材Ｐと接続する。
一方、締め付け具を取り外し、分割体８０を分割すれば、容易に二重コルゲート管３を取り外すことができる。
【００６２】
また、上記姿勢保持材を備えたフレキシブル管としては、外層がコルゲート構造になっていなくても構わない。たとえば、強度保持が可能であれば、アルミニウムや超延伸樹脂材料からなる複数の線状材をポリプロピレンエラストマーなどのオレフィン系樹脂エラストマーからなるフレキシブル管本体の中間層部分に管軸に平行かつ周方向に等ピッチで挿入した構造のもの、アルミニウムや超延伸樹脂材料からなる板状材を管状に成形し、ポリプロピレンエラストマーなどのオレフィン系樹脂エラストマーからなるフレキシブル管本体の中間層部分に挿入した構造のもの、上記二重コルゲート管３の周囲にアルミニウムや超延伸樹脂材料からなる板材を巻きつけたもの、形状記憶金属、形状記憶樹脂等により負荷を解除すると、排水勾配を確保した状態などの元の形状に戻るように構成したもの等を用いることもできる。
【図面の簡単な説明】
【００６３】
【図１】本発明にかかる排水システムの第１の実施の形態を模式的にあらわす斜視図である。
【図２】図１の排水システムに用いられる二重コルゲート管の断面図である。
【図３】図１の排水システムのヘッダー部分の側面図である。
【図４】図１の排水システムのヘッダー部分の斜視図である。
【図５】図１の排水システムのヘッダーへの二重コルゲート管の接続状態をあらわす断面図である。
【図６】図１の排水システムに用いられる継手の分解図である。
【図７】本発明にかかる排水システムの第２の実施の形態を模式的にあらわす斜視図である。
【図８】図７の排水システムに用いられるフレキシブル管の斜視図である。
【図９】図７の排水システムに用いられるフレキシブル管の他の態様を模式的にあらわす図である。
【図１０】本発明の排水システムに用いられる継手の他の例をあらわす図であって、同図（ａ）はその二重コルゲート管の接続状態をあらわす断面図、同図（ｂ）は継手本体の断面図である。
【図１１】本発明の排水システムに用いられる継手の他の例をあらわす図であって、同図（ａ）はその二重コルゲート管の接続状態をあらわす断面図、同図（ｂ）は継手本体の側面図、同図（ｃ）はファスナーの正面図である。
【図１２】本発明の排水システムに用いられる継手の他の例の分割体の二重フレキシブル管および配管材をセット状態の断面図である。
【図１３】公知の排水システムの配管系統図である。
【符号の説明】
【００６４】
Ａ，Ｂ  排水システム
１  排水ヘッダー
１１  ヘッダー本体
１２  流入口
１３  流出口
２  排水設備
３  二重コルゲート管（排水枝管路）
３１  内層
３２  外層
３ａ，３ｂ，３ｃ，３ｄ，３ｅ，３ｆ，３ｇ  フレキシブル管（排水枝管路）
３５ａ  アルミニウム棒（姿勢保持材）
３５ｂ  アルミニウム線（姿勢保持材）
３５ｃ  帯状のアルミニウム板（姿勢保持材）
３５ｄ  アルミニウム板（姿勢保持材）
３５ｅ  帯状のアルミニウム板（姿勢保持材）
３５ｆ  帯状のアルミニウム板（姿勢保持材）
３５ｇ  穴開きアルミニウム板（姿勢保持材）
４  給水・給湯システム
４ａ  給水システム
４ｂ  給湯システム
４１，４４，４５  ヘッダー
５，６，７，８  継手
５２  雌ねじ付き袋ナット
５３  雄ねじ付き袋ナット
【図１】
2008038563.tif 000003
【図２】
2008038563.tif 000004
【図３】
2008038563.tif 000005
【図４】
2008038563.tif 000006
【図５】
2008038563.tif 000007
【図６】
2008038563.tif 000008
【図７】
2008038563.tif 000009
【図８】
2008038563.tif 000010
【図９】
2008038563.tif 000011
【図１０】
2008038563.tif 000012
【図１１】
2008038563.tif 000013
【図１２】
2008038563.tif 000014
【図１３】
2008038563.tif 000015